(57)【要約】【課題】  第１吸引用穴と第２吸引用穴と装着穴との位置調整が容易に、正確に行われる。【解決手段】  光ファイバ保持装置４９であって、中心部に第１吸引用穴５５を備え、先端部の円周上に軸方向へ複数のタップ６３とガイド穴６５を設けた光ファイバホルダ５７と、中心部に第２吸引用穴７１を備え、円周上に光ファイバホルダに設けられた複数のタップとガイド穴に対応する位置に軸方向への第１穴６９が設けられた光ファイバ当て板６７と、中心部に光ファイバ装着用穴７７を備え、ガイド穴と第１穴の適宜の穴およびタップに対応する位置に軸方向への第２穴７５Ａ〜７５Ｄとが設けられた光ファイバ位置ガイド板７３と、ガイド穴、第１穴および、第２穴に挿通され、また、第１穴および第２穴に挿通され、光ファイバホルダに光ファイバ当て板と光ファイバ位置ガイド板とを位置決めするガイドピンと、前記タップとの螺合により光ファイバホルダに光ファイバ当て板と光ファイバ位置ガイド板とを固定するためのねじとを具備している。【選択図】図１
2006091586.tif 000002
【特許請求の範囲】
【請求項１】
光ファイバの端面同士を融着接続する融着接続装置における光ファイバを保持する光ファイバ保持装置であって、
中心部に第１吸引用穴を備え、その先端部の円周上に適宜な間隔で軸方向へ複数のタップとガイド穴を設けた光ファイバホルダと、
中心部に前記第１吸引用穴より小さな第２吸引用穴を備え、その円周上に前記光ファイバホルダに設けられた複数のタップとガイド穴に対応する位置に軸方向への第１穴が設けられた光ファイバ当て板と、
中心部に前記第２吸引用穴より大きく、かつ、前記第１吸引用穴より小さな光ファイバ装着用穴を備え、前記ガイド穴と第１穴の適宜の穴およびタップに対応する位置に軸方向への第２穴とが設けられた光ファイバ位置ガイド板と、
前記第２穴、第１穴およびガイド穴に挿通され、前記光ファイバホルダに光ファイバ当て板と光ファイバ位置ガイド板とを位置決めするガイドピンと、
前記第２穴および第１穴に挿通され、前記光ファイバホルダに光ファイバ当て板と光ファイバ位置ガイド板とを前記タップとの螺合により前記光ファイバホルダに光ファイバ当て板と光ファイバ位置ガイド板とを固定するためのねじとを具備してなり、
前記光ファイバホルダの第１吸引用穴と、光ファイバ当て板の第２吸引用穴と、光ファイバ位置ガイド板の光ファイバ装着用穴とが心合わせされており、
前記光ファイバ位置およびガイド板光ファイバ当て板は、その対向する第２、第１穴に挿通されたねじと対応するタップとの螺合により、前記光ファイバホルダに面接触状態で固定されてなることを特徴とする光ファイバ保持装置。
【請求項２】
光ファイバの端面同士を融着接続する融着接続装置における光ファイバを保持する光ファイバ保持装置であって、
中心部に第１吸引用穴を備え、その先端部の円周上に適宜な間隔で軸方向へ複数のタップを設けた光ファイバホルダと、
中心部に前記第１吸引用穴より小さな第２吸引用穴を備え、その円周上に前記光ファイバホルダに設けられた複数のタップに対応する位置に軸方向への第１穴が設けられた光ファイバ当て板と、
中心部に前記第２吸引用穴より大きく、かつ、前記第１吸引用穴より小さな光ファイバ装着用穴を備え、前記第１穴の適宜の穴に対応する位置に軸方向への第２穴と、前記複数の第１穴の残りの第１穴に対応する位置に軸方向への調整用の溝または穴とが設けられた光ファイバ位置ガイド板と、
前記第１穴および第２穴に挿通され、前記タップとの螺合により前記光ファイバホルダに光ファイバ当て板と光ファイバ位置ガイド板とを固定するためのねじとを具備してなり、
前記光ファイバホルダの第１吸引用穴と、光ファイバ当て板の第２吸引用穴と、光ファイバ位置ガイド板の光ファイバ装着用穴とが心合わせされており、
前記光ファイバ当て板は、その対向する第１穴に装通されたねじと対応するタップとの螺合により、前記光ファイバホルダに面接触状態で固定されており、
前記光ファイバ位置ガイド板は、その対向する調整用の溝または穴が前記光ファイバ当て板のねじが挿通された第１穴に対応する位置で、その対向する第２穴および前記光ファイバ当て板の残りの対応する第１穴に連通されたねじと前記光ファイバホルダの対応するタップとの螺合により、前記光ファイバ当て板に面接触状態で固定されてなることを特徴とする光ファイバ保持装置。
【請求項３】
前記光ファイバ当て板、光ファイバ位置ガイド板の材質が、前記光ファイバの材質より柔らかい材質からなっていることを特徴とする請求項２記載の光ファイバ保持装置。
【請求項４】
前記光ファイバホルダにおける先端部の外径に対して前記光ファイバ当て板の外径がやや大きく、前記光ファイバ当て板の外径に対して前記光ファイバ位置ガイド板がやや大きくなっていることを特徴とする請求項２または３記載の光ファイバ保持装置。
【請求項５】
前記光ファイバ当て板に形成された第２吸引用穴の径が、前記裸光ファイバ位置ガイド板に形成された吸着用穴の径より８０％程度小さいことを特徴とする請求項２、３または４記載の光ファイバ保持装置。
【請求項６】
光ファイバホルダにおける先端部の中心部に備えられた第１吸引用穴の中心に光ファイバ当て板に備えられた第２吸引用穴の中心を合わせるべく調心した後、光ファイバホルダにおける先端部の円周上に適宜な間隔で軸方向へ設けられた複数のタップに、光ファイバ当て板の円周上に適宜な間隔で軸方向へ設けられた前記各タップに対応した位置に複数の第１穴から複数のねじを通して固定し、ついで、光ファイバ当て板に備えられた第２吸引用穴の中心に光ファイバ位置ガイド板に備えられた光ファイバ装着用穴の中心を合わせるべく調心した後、光ファイバ位置ガイド板に設けられた第２穴から前記光ファイバ当て板に設けられた残りの前記第１穴にねじを通して前記タップにて固定することにより、光ファイバホルダの先端部に光ファイバ当て板、光ファイバ位置ガイド板を組み立てることを特徴とする光ファイバ保持装置の組み立て方法。
【発明の詳細な説明】
【技術分野】
【０００１】
この発明は、光ファイバの端面同士を融着接続する融着接続装置における光ファイバを保持する光ファイバ保持装置およびその組み立て方法に関する。
【背景技術】
【０００２】
従来、光機能素子の端面に光ファイバ端面をレーザ光により融着接続させる方法としては、例えば図１６に示されているように、径の異なる２つの光ファイバとしての例えば０．４ｍｍφからなる太径裸光ファイバ１０１と例えば０．１２５ｍｍφからなる細径裸光ファイバ１０３とを接続する際に、この太径裸光ファイバ１０１と細径裸光ファイバ１０３の外周面に段差が生じないように端面同士を突合わせて配置することを条件とし、この突合せ部分に対して平行にレーザ光１０５を集光レンズ１０７を介して照射することで両者の外周面を同時に融着接続するものが知られている（例えば特許文献１参照）。
【特許文献１】特開平５−３４６５１７号公報
【発明の開示】
【発明が解決しようとする課題】
【０００３】
ところで、上述した従来の太径裸光ファイバ１０１と細径裸光ファイバ１０３をそれぞれ位置合わせして融着接続する場合には、従来から知られている細径裸光ファイバ１０３の光ファイバ素線を下ホルダと上ホルダからなるホルダ装置でホールドすることは可能であるが、太径裸光ファイバ１０１は長さが短いので、従来の下クランプと上クランプからなるクランプ装置でクランプすることは難しい。
【０００４】
そこで、従来のホルダまたはクランプを使わずに、太径裸光ファイバ１０１をクランプするのに、ホルダ装置の先端に備えられた装着穴にエアの力で吸引することが考えられるが、単にホルダの先端部に設けられた装着穴に太径裸光ファイバ１０１を装着してエア吸引でホールドした場合には、装着穴に装着された太径裸光ファイバ１０１の中心とエア吸引の穴の中心とが必ず合っているとは限らず、ずれることがある。すなわち、心合わせが難しく、融着接続するのに種々なトラブルの原因となる問題が予想される。
【０００５】
この発明は上述の課題を解決するためになされたものである。
【課題を解決するための手段】
【０００６】
上記発明が解決しようとする課題を達成するために、この発明の光ファイバ保持装置は
光ファイバの端面同士を融着接続する融着接続装置における光ファイバを保持する光ファイバ保持装置であって、中心部に第１吸引用穴を備え、その先端部の円周上に適宜な間隔で軸方向へ複数のタップとガイド穴を設けた光ファイバホルダと、中心部に前記第１吸引用穴より小さな第２吸引用穴を備え、その円周上に前記光ファイバホルダに設けられた複数のタップとガイド穴に対応する位置に軸方向への第１穴が設けられた光ファイバ当て板と、中心部に前記第２吸引用穴より大きく、かつ、前記第１吸引用穴より小さな光ファイバ装着用穴を備え、前記ガイド穴と第１穴の適宜の穴およびタップに対応する位置に軸方向への第２穴とが設けられた光ファイバ位置ガイド板と、前記第２穴、第１穴およびガイド穴に挿通され、前記光ファイバホルダに光ファイバ当て板と光ファイバ位置ガイド板とを位置決めするガイドピンと、前記第２穴および第１穴に挿通され、前記光ファイバホルダに光ファイバ当て板と光ファイバ位置ガイド板とを前記タップとの螺合により前記光ファイバホルダに光ファイバ当て板と光ファイバ位置ガイド板とを固定するためのねじとを具備してなり、前記光ファイバホルダの第１吸引用穴と、光ファイバ当て板の第２吸引用穴と、光ファイバ位置ガイド板の光ファイバ装着用穴とが心合わせされており、前記光ファイバ位置およびガイド板光ファイバ当て板は、その対向する第２、第１穴に挿通されたねじと対応するタップとの螺合により、前記光ファイバホルダに面接触状態で固定されてなることを特徴とするものである。
【０００７】
また、この発明の光ファイバ保持装置は、光ファイバの端面同士を融着接続する融着接続装置における光ファイバを保持する光ファイバ保持装置であって、中心部に第１吸引用穴を備え、その先端部の円周上に適宜な間隔で軸方向へ複数のタップを設けた光ファイバホルダと、中心部に前記第１吸引用穴より小さな第２吸引用穴を備え、その円周上に前記光ファイバホルダに設けられた複数のタップに対応する位置に軸方向への第１穴が設けられた光ファイバ当て板と、中心部に前記第２吸引用穴より大きく、かつ、前記第１吸引用穴より小さな光ファイバ装着用穴を備え、前記第１穴の適宜の穴に対応する位置に軸方向への第２穴と、前記複数の第１穴の残りの第１穴に対応する位置に軸方向への調整用の溝または穴とが設けられた光ファイバ位置ガイド板と、前記第１穴および第２穴に挿通され、前記タップとの螺合により前記光ファイバホルダに光ファイバ当て板と光ファイバ位置ガイド板とを固定するためのねじとを具備してなり、前記光ファイバホルダの第１吸引用穴と、光ファイバ当て板の第２吸引用穴と、光ファイバ位置ガイド板の光ファイバ装着用穴とが心合わせされており、前記光ファイバ当て板は、その対向する第１穴に装通されたねじと対応するタップとの螺合により、前記光ファイバホルダに面接触状態で固定されており、前記光ファイバ位置ガイド板は、その対向する調整用の溝または穴が前記光ファイバ当て板のねじが挿通された第１穴に対応する位置で、その対向する第２穴および前記光ファイバ当て板の残りの対応する第１穴に連通されたねじと前記光ファイバホルダの対応するタップとの螺合により、前記光ファイバ当て板に面接触状態で固定されてなることを特徴とするものである。
【０００８】
この発明の光ファイバ保持装置は、前記光ファイバ保持装置において、前記光ファイバ当て板、光ファイバ位置ガイド板の材質が、前記光ファイバの材質より柔らかい材質からなっていることが好ましい。
【０００９】
この発明の光ファイバ保持装置は、前記光ファイバ保持装置において、前記光ファイバホルダにおける先端部の外径に対して前記光ファイバ当て板の外径がやや大きく、前記光ファイバ当て板の外径に対して前記光ファイバ位置ガイド板がやや大きくなっていることが好ましい。
【００１０】
この発明の光ファイバ保持装置は、前記光ファイバ保持装置において、前記光ファイバ当て板に形成された第２吸引用穴の径が、前記裸光ファイバ位置ガイド板に形成された吸着用穴の径より８０％程度小さいことが好ましい。
【００１１】
光ファイバ保持装置の組み立て方法は、光ファイバホルダにおける先端部の中心部に備えられた第１吸引用穴の中心に光ファイバ当て板に備えられた第２吸引用穴の中心を合わせるべく調心した後、光ファイバホルダにおける先端部の円周上に適宜な間隔で軸方向へ設けられた複数のタップに、光ファイバ当て板の円周上に適宜な間隔で軸方向へ設けられた前記各タップに対応した位置に複数の第１穴から複数のねじを通して固定し、ついで、光ファイバ当て板に備えられた第２吸引用穴の中心に光ファイバ位置ガイド板に備えられた光ファイバ装着用穴の中心を合わせるべく調心した後、光ファイバ位置ガイド板に設けられた調整用の溝または穴から前記複数のねじを挿入し、さらに、光ファイバ位置ガイド板に設けられた第２穴から前記光ファイバ当て板に設けられた残りの前記第１穴にねじを通して前記タップにて固定することにより、光ファイバホルダの先端部に光ファイバ当て板、光ファイバ位置ガイド板を組み立てることを特徴とするものである。
【発明の効果】
【００１２】
以上のごとき課題を解決するための手段の説明から理解されるように、この発明によれば、光ファイバホルダにおける先端部に光ファイバ当て板が固定され、この光ファイバ当て板に光ファイバ位置ガイド板が固定されるようになっているので、第１吸引用穴、第２吸引用穴および光ファイバ装着用穴の位置調整が偏心を起こすことなく、容易に且つ正確に行うことができる。
【発明を実施するための最良の形態】
【００１３】
以下、この発明の実施の形態について図面を参照して詳細に説明する。
【００１４】
図１４を参照するに、異径光ファイバの融着接続装置１は、複数例えば２本の０．２５ｍｍの径からなる細径光ファイバ素線３の外周に被覆された被覆材を除去した例えば１２５μｍの径からなる細径裸光ファイバ５を位置決めセットする細径裸光ファイバ用位置決めセット装置７と例えば４００μｍの径からなる太径裸光ファイバ９（レンズともいう）を位置決めセットする太径裸光ファイバ用位置決めセット装置１１を備えている。また、前記細径光ファイバ素線３の外周に被覆された被覆材を除去した細径裸光ファイバ５の端面と前記太径裸光ファイバ９の端面とを融着接続させるためにＣＯ２レ−ザ光を出力するＣＯ２レ−ザ光発振器１３が図１４において例えば右上方の位置に備えられている。そして、このＣＯ２レ−ザ光発振器１３から出力されたＣＯ２レ−ザ光はスプリッタ（ハーフミラー）１５で反射された後、レーザ加工ヘッド１７を構成している全反射ミラー１９で反射されると共に集光レンズ２１を経て１本の細径裸光ファイバ１１の端面と前記太径裸光ファイバ７の端面とが融着接続される。また、ＣＯ２レ−ザ光はスプリッタ（ハーフミラー）１５で透過された後、全反射ミラー２３で反射され、さらに、レーザ加工ヘッド２５を構成している全反射ミラー２７で反射されると共に集光レンズ２９を経て他の１本の細径裸光ファイバ５の端面と前記太径裸光ファイバ９の端面とが融着接続されることになる。なお、図示省略しているが、細径裸光ファイバ５の端面と前記太径裸光ファイバ９の端面との上下の下方位置には融着接続状態を観察するための例えばＣＣＤからなる撮像手段が設けられている。
【００１５】
前記細径裸光ファイバ用位置決めセット装置７および太径裸光ファイバ用位置決めセット装置１１について図１５を用いてさらに詳細に説明する。図１４において、ベッド３１上には前記細径裸光ファイバ用位置決めセット装置７および太径裸光ファイバ用位置決めセット装置１１が相対向して設けられている。前記細径裸光ファイバ用位置決めセット装置７としてはベッド３１上にＺ軸方向（図１５において左右方向）へ移動自在な第１Ｚ軸スライド台３３が設けられている。この第１Ｚ軸スライド台３３はすでに公知の図示省略の駆動手段によりＺ軸方向（図１５において左右方向）へ移動される。この第１Ｚ軸スライド台３３上には前記２本の細径光ファイバ素線３をホ−ルドする細径光ファイバ素線用ホルダ３５が設けられている。また、前記第１Ｚ軸スライド台３３上における前部（図１５において右部）には細径裸光ファイバ用調心機構部３７が設けられており、この細径裸光ファイバ用調心機構部３７上には前記細径光ファイバ素線３の外周に被覆された被覆材を除去した細径裸光ファイバ５をクランプするための細径裸光ファイバ用クランプ手段のうちのクランプ台３９が設けられている。このクランプ台３９上には各細径裸光ファイバ５同士の間隔を一定に保持するガイド部材としての２本のガイドピン４１が設けられていると共に各細径裸光ファイバ５をクランプするクランパ４３が開閉自在に設けられている。前記細径裸光ファイバ用調心機構部３７はすでに公知であるが、Ｚ軸方向に対して左斜めに４５度傾いたＹ軸方向へ図示省略の駆動手段により移動自在に設けられている。
【００１６】
前記太径裸光ファイバ用位置決めセット装置１１としては前記ベッド３１上にＺ軸方向（図１５において左右方向）へ移動自在な第２Ｚ軸スライド台４５が設けられている。この第２Ｚ軸スライド台４５はすでに公知の図示省略の駆動手段によりＺ軸方向（図１５において左右方向）へ移動される。第２Ｚ軸スライド台４５上における前部（図１５において左部）には太径裸光ファイバ用調心機構部４７が設けられており、この太径裸光ファイバ用調心機構部４７上には太径裸光ファイバ保持装置４９をクランプするためのホルダ用クランプ手段のうちのクランプ台５１が設けられている。そして、太径裸光ファイバ用ホルダ４９をクランプする太径裸光ファイバ用クランパ５３が開閉自在に設けられている。前記太径裸光ファイバ用調心機構部４７はすでに公知であるが、Ｚ軸方向に対して右斜めに４５度傾いたＸ軸方向へ図示省略の駆動手段により移動自在に設けられている。
【００１７】
上記構成により、第１Ｚ軸スライド台３３と第２Ｚ軸スライド台４５とが互いにＺ軸方向へ移動されると共に細径裸光ファイバ用調心機構部３７がＹ軸方向へ移動され、また、太径裸光ファイバ用調心機構部４７がＸ軸方向へ移動されることによって、２本の細径裸光ファイバ５の端面と太径裸光ファイバ９の端面とが自動調心される。そして、２本の細径裸光ファイバ５の端面と太径裸光ファイバ９の端面とが自動調心された状態で、前記ＣＯ２レ−ザ光発振器１３から出力されたＣＯ２レ−ザ光がそれぞれスプリッタ１５、全反射ミラー１９、集光レンズ２１およびスプリッタ１５、全反射ミラー２３、全反射ミラー２７、集光レンズ２９から照射されることで、２本の細径裸光ファイバ５の端面と太径裸光ファイバ９の端面との融着接続を均一でかつ容易に行うことができる。
【００１８】
前記細径裸光ファイバ５の端面と太径裸光ファイバ９の端面とをＣＯ２レ−ザ光発振器１３を用いて融着接続する例で説明しているが、アーク放電による融着接続であっても構わない。
【００１９】
前記太径裸光ファイバ９を保持する太径裸光ファイバ保持装置４９としては、図１、図２および図３に示されているように、例えば外径が３ｍｍφからなると共に中心部に太径裸光ファイバ９を吸引するための第１吸引用穴５５を備えた例えば非磁性のステンレスからなる光ファイバホルダ５７が図１において左右方向へ延伸されて設けられている。この光ファイバホルダ５７の後端部には例えば外径が４．５ｍｍφからなるジョイント５９が螺合されていると共にこのジョイント５９の後端部には例えば外径が４．０ｍｍφからなる配管６１の一端が接続されている。
【００２０】
前記光ファイバホルダ５７の先端部５７Ｓは、図４に示されているように、例えば外径ｄ３が８ｍｍφからなっていると共に先端部５７Ｓの外周上には適宜な間隔例えば９０度間隔で複数例えば相対応した位置にそれぞれ２個のタップ６３とガイド穴６５とが設けられている。
【００２１】
前記光ファイバホルダ５７の先端部５７Ｓの先端図１、図３において左端には図５に示されているように、例えば外径ｄ２が８ｍｍφからなっていて、例えば非磁性のステンレスからなる光ファイバ当て板６７が設けられている。この光ファイバ当て板６７には前記２個のタップ６３とガイド穴６５に対応した位置に第１穴６９が設けられている。しかも、光ファイバ当て板６７の中心部には前記第１吸引用穴５５に連通する例えば０．３２ｍｍφからなる第２吸引用穴７１が設けられている。
【００２２】
前記光ファイバ当て板６７の先端図１、図３において左端には図６に示されているように、例えば外径ｄ１が８ｍｍφからなっていて、例えば非磁性のステンレスからなる光ファイバ位置ガイド板７３が設けられている。この光ファイバガイド位置板７３には前記第１穴６９に対応した位置に第２穴７５Ａ、７５Ｂ、７５Ｃ、７５Ｄが設けられている。しかも、光ファイバ位置ガイド板７３の中心部には前記第２吸引用穴７１に連通する例えば０．４１ｍｍφからなり、前記太径裸光ファイバ９を装着する装着用穴７７が設けられている。
【００２３】
上記構成により、前記光ファイバホルダ５７の先端部５７Ｓに、前記光ファイバ当て板６７、光ファイバ位置ガイド板７３を順に重ね合わせた状態で光ファイバ位置ガイド板７３の第２穴７５Ｂ、７５Ｄに図２に示されているようにガイドピン７９を挿入し、さらに、このガイドピン７９が光ファイバ当て板６７の各第１穴６９、光ファイバホルダ５７の先端部５７Ｓのガイド穴６５に挿入されてこのガイドピン７９で前記光ファイバホルダ５７の先端部５７Ｓに、前記光ファイバ当て板６９、光ファイバ位置ガイド板７３が位置決めされる。この状態で、第２穴７５Ａ、７５Ｃよりねじ８１を通し、さらに、光ファイバ当て板６７の前記第２穴７５Ａ、７５Ｃに対応した第１穴６９を通して光ファイバホルダ５７の先端部５７Ｓのタップ６３に螺合させることで、前記光ファイバホルダ５７の先端部５７Ｓに、前記光ファイバ当て板６７、光ファイバ位置ガイド板７３が固定されることになる。
【００２４】
この状態で、図１、図３に示されているように、図示省略の吸引装置により、光ファイバ位置ガイド板７３の装着用穴７７、光ファイバ当て板６７の第２吸引用穴７１および光ファイバホルダ５７の第１吸引用穴５５にエアが矢印のごとく吸引される。そして、この状態で装着用穴７７に太径裸光ファイバ９を挿入すると、太径裸光ファイバ９が装着用穴７７内で保持されることになる。この状態で、太径裸光ファイバ９と細径裸光ファイバ５とがＣＯ２レーザにより融着接続されることになる。
【００２５】
したがって、太径裸光ファイバ９を吸引力の作用で光ファイバ位置ガイド板７３の装着用穴７７に自動的に装着することができると共に位置決めすることができる。
【００２６】
図７、図８および図９には前記太径裸光ファイバを保持する太径裸光ファイバ保持装置の別の例が示されている。図７、図８および図９において、図１、図２および図３における部品と同じ部品には同一の符号を付して重複する説明を省略する。
【００２７】
図７、図８および図９において、前記光ファイバホルダ５７の先端部５７Ｓは、図１０に示されているように、例えば外径Ｄ３が８ｍｍφからなっていると共に先端部５７Ｓの外周上には適宜な間隔例えば９０度間隔で複数例えば相対応した位置にそれぞれ４個のタップ８３が設けられている。
【００２８】
前記光ファイバホルダ５７の先端部５７Ｓの先端図７、図９において左端には図１１に示されているように、例えば外径Ｄ２が８．４ｍｍφからなっている光ファイバ当て板６７が設けられている。この光ファイバ当て板６７には前記４個のタップ８３に対応した位置に第１穴８５が設けられている。しかも、光ファイバ当て板６７の中心部には前記第１吸引用穴５５に連通する例えば０．３２ｍｍφからなる第２吸引用穴６９が設けられている。すなわち、第２吸引用穴６９の穴径は光ファイバホルダ５７の先端部５７Ｓの第１吸引用穴５５の穴径に対して８０％程度小さくなっていることが必要である。これは、裸光ファイバ９（レンズ）の光が通る部分になるべくダメージを与えないようにするためである。特に、裸光ファイバ９（レンズ）の先端に例えば反射防止膜（無反射コーティング、ＡＲコート（ＡｎｔｉＲｅｆｌｅｃｔｉｏｎＣｏａｔｉｎｇ））などのコーティングを施すことで、この第２吸引用穴６９の穴径によるダメージをなくするためのものである。
【００２９】
前記光ファイバ当て板６７の先端図７、図９において左端には図１２に示されているように、例えば外径Ｄ１が８．６ｍｍφからなっている光ファイバ位置ガイド板７３が設けられている。この光ファイバ位置ガイド板７３には前記第１穴８５に対応した位置に第２穴８７が設けられていると共に前記第１穴８５に対応した位置に調整用の溝としての切り欠き溝８９が設けられている。この切り欠き溝８９の代わりに大きなバカ穴であっても構わない。しかも、光ファイバ位置ガイド板７３の中心部には前記第２吸引用穴６９に連通する例えば０．４１ｍｍφからなり、前記太径裸光ファイバ９を装着する装着用穴７７が設けられている。
【００３０】
上記構成により、図１０に示した前記光ファイバホルダ５７を図１３に示されているように、クランプフレーム９５に形成されたＶ溝９７に当てがうと共にクランプレバー９９がピン１０１を支点としてスプリング１０３の付勢力でもって光ファイバホルダ５７を回動可能な状態で押さえる。そして、光ファイバホルダ５７の下部を作業者が手で回動させて偏心がないよう光ファイバホルダ５７が調心される。その後、光ファイバホルダ５７の先端部５７Ｓに、図１１に示した前記光ファイバ当て板６７を図示省略のクランプでクランプした状態で面合わせするよう重ね合わせて前記光ファイバホルダ５７を回動させながら光ファイバ当て板６７をＸ、Ｙ方向に移動・調整して例えば顕微鏡やＣＣＤカメラなどでタップ８３と第１穴８５とを位置合わせする。この状態でねじ９１を第１穴８５に通してタップ８３に固定するすることで光ファイバホルダ５７の先端部５７Ｓに前記光ファイバ当て板６７を調心させた状態で固定することができる。
【００３１】
さらに、図１２に示した光ファイバ位置ガイド板７３を図示省略のクランプでクランプした状態で光ファイバ位置ガイド板７３の切り欠き溝８９が光ファイバ当て板６７のねじ９１に装着されて面合わせするよう重ね合わせられる。この状態で前記光ファイバホルダ５７を回動させながら光ファイバ位置ガイド板７３をＸ、Ｙ方向に移動・調整して例えば顕微鏡やＣＣＤカメラなどで光ファイバホルダ５７のタップ８３と光ファイバ位置ガイド板７３の第２穴８７とを位置合わせする。この状態でねじ９３を穴８７に通し、さらに、第１穴８５に通してタップ８３に固定するすることで光ファイバ当て板６７に前記光ファイバ位置ガイド板７３を調心させた状態で固定することができる。
【００３２】
したがって、光ファイバホルダ５７の先端部５７Ｓと光ファイバ当て板６７と前記光ファイバ位置ガイド板７３の３者が正確かつ容易に調心することができる。しかも、光ファイバホルダ５７に対して光ファイバ当て板６７を調心する際、光ファイバ当て板６７の外径Ｄ２が光ファイバホルダ５７の外径Ｄ３よりやや大きいので、光ファイバ当て板６７を手で容易に保持することができる。同様に、光ファイバ当て板６７に対して光ファイバ位置ガイド板７３を調心する際、光ファイバ位置ガイド板７３の外径Ｄ１が光ファイバ当て板６７の外径Ｄ２よりやや大きいので、光ファイバ位置ガイド板７３を手で容易に保持することができる。
【００３３】
この状態で、図７、図９に示されているように、図示省略の吸引装置により、光ファイバ位置ガイド板７３の装着用穴７７、光ファイバ当て板６７の第２吸引用穴６９および光ファイバホルダ５７の第１吸引用穴５５にエアが矢印のごとく吸引される。そして、この状態で装着用穴７７に太径裸光ファイバ９を挿入すると、太径裸光ファイバ９が装着用穴７７内で保持されることになる。この状態で、太径裸光ファイバ９と細径裸光ファイバ５とがＣＯ２レーザにより融着接続されることになる。
【００３４】
したがって、光ファイバホルダ５７における先端部５７Ｓに光ファイバ当て板６７が固定され、この光ファイバ当て板６７に光ファイバ位置ガイド板７３が固定されるようになっているので、第１吸引用穴５５、第２吸引用穴６９および光ファイバ装着用穴７７の位置調整が偏心を起こすことなく、容易に且つ正確に行うことができる。
【図面の簡単な説明】
【００３５】
【図１】融着接続装置における太径裸光ファイバ保持装置の拡大正面断面図である。
【図２】図１における側面図である。
【図３】図１におけるＩＩＩ矢視部の拡大図である。
【図４】図１における光ファイバホルダの先端部の拡大側面図である。
【図５】図１における光ファイバ当て板の拡大側面図である。
【図６】図１における光ファイバ位置ガイド板の拡大側面図である。
【図７】図１に代わる異径光ファイバの融着接続装置における太径裸光ファイバ保持装置の拡大正面断面図である。
【図８】図７における側面図である。
【図９】図７におけるＩＸ矢視部の拡大図である。
【図１０】図７における光ファイバホルダの先端部の拡大側面図である。
【図１１】図７における光ファイバ当て板の拡大側面図である。
【図１２】図７における光ファイバ位置ガイド板の拡大側面図である。
【図１３】光ファイバホルダに対して光ファイバ当て板、光ファイバ位置ガイド板を調心するための説明図である。
【図１４】この発明の異径光ファイバの融着接続装置の平面略図である。
【図１５】異径光ファイバの融着接続装置において細径裸光ファイバ用位置決めセット装置における２本の細径光ファイバ素線、細径裸光ファイバと、前記太径裸光ファイバ用位置決めセット装置における太径裸光ファイバとの位置決め状態を示した正面図である。
【図１６】従来の異径光ファイバの融着接続状態を示した図である。
【符号の説明】
【００３６】
１  異径光ファイバの融着接続装置
３  細径光ファイバ素線
５  細径裸光ファイバ
７  細径裸光ファイバ用位置決めセット装置
９  太径裸光ファイバ
１１  太径裸光ファイバ用位置決めセット装置
１３  ＣＯ２レーザ発振器
１５  スプリッタ（ハーフミラー）
１７  レーザ加工ヘッド
１９  全反射ミラー
２１  集光レンズ
２３  全反射ミラー
２５  レーザ加工ヘッド
２７  全反射ミラー
２９  集光レンズ
３１  ベッド
３３  第１Ｚ軸スライド台
３５  細径光ファイバ素線用ホルダ
３７  調心機構部
３９  クランプ台
４１  位置決めピン
４３  クランパ
４５  第２Ｚ軸スライド台
４７  調心機構部
４９  太径光ファイバ保持装置
５１  クランプ台
５３  太径光ファイバ用クランプ
５５  第１吸引穴
５７  光ファイバホルダ
５７Ｓ  先端部
５９  ジョイント
６１  配管
６３  タップ
６５  ガイド穴
６７  光ファイバ当て板
６９  第１穴
７１  第２吸引用穴
７３  光ファイバ位置ガイド板
７５Ａ〜７５Ｄ  第２穴
７７  装着穴
７９  ガイドピン
８１  ねじ
８３  タップ
８５  第１穴
８７  第２穴
８９  調整用の切り欠き溝（溝）
９１  ねじ
９３  ねじ
９５  クランプフレーム
９７  Ｖ溝
９９  クランプレバー
１０１  ピン
１０３  スプリング
【図１】
2006091586.tif 000003
【図２】
2006091586.tif 000004
【図３】
2006091586.tif 000005
【図４】
2006091586.tif 000006
【図５】
2006091586.tif 000007
【図６】
2006091586.tif 000008
【図７】
2006091586.tif 000009
【図８】
2006091586.tif 000010
【図９】
2006091586.tif 000011
【図１０】
2006091586.tif 000012
【図１１】
2006091586.tif 000013
【図１２】
2006091586.tif 000014
【図１３】
2006091586.tif 000015
【図１４】
2006091586.tif 000016
【図１５】
2006091586.tif 000017
【図１６】
2006091586.tif 000018